(57)【要約】    【課題】平版印刷版原版の曝光を防止し、平版印刷版原版の画像形成能の低下を防止する簡易な包装方法を提供すること。    【解決手段】金属支持体上の片面のみに画像形成面を有する平版印刷版原版を複数枚積層して包装紙によって包装する方法であって、前記包装紙の開封面および非開封面がともに金属支持体面となるように前記平版印刷版原版を積層して包装することを特徴とする平版印刷版原版の包装方法。【選択図】図１
2008246684.tif 000002
【特許請求の範囲】
【請求項１】
金属支持体上の片面のみに画像形成面を有する平版印刷版原版を複数枚積層して包装紙によって包装する方法であって、前記包装紙の開封面および非開封面がともに金属支持体面となるように前記平版印刷版原版を積層して包装することを特徴とする平版印刷版原版の包装方法。
【請求項２】
前記包装紙の開封面側または非開封面側の１枚を除く全ての平版印刷版原版の画像形成面が同一の方向となるように平版印刷版原版を積層することを特徴とする請求項１に記載の平版印刷版原版の包装方法。
【請求項３】
前記平版印刷版原版が感光性平版印刷版原版であることを特徴とする請求項１または２に記載の平版印刷版原版の包装方法。
【請求項４】
前記平版印刷版が湿し水不要平版印刷版原版であることを特徴とする請求項１〜３いずれかに記載の平版印刷版原版の包装方法。
【発明の詳細な説明】
【技術分野】
【０００１】
本発明は平版印刷版原版の包装方法に関する。特に金属支持体の片面のみに画像形成面を有する平版印刷版原版を包装するための方法に関する。
【背景技術】
【０００２】
平版印刷版原版を荷扱いする場合、荷扱いの回数を減らして運搬や保管を低コストで行うために、大量の平版印刷版原版を厚み方向に積層して平版印刷版原版の束を構成し、この積層束を包装紙により包装したり、包装箱に収容することが、一般的に行われている。これまでに、平版印刷版原版を積層して包装する方法として、平版印刷版原版と、平版印刷版原版が所期の印刷特性を維持するように保護可能な所定の物性を有する平版印刷版用包装材を有する平版印刷版包装構造が提案されている（例えば、特許文献１参照）。一般に、金属支持体上の片面のみに画像形成面を有する平版印刷版原版を積層して包装する場合、作業性を考慮して画像形成面が全て上向きとなるように積層することが多い。
【０００３】
ところで、これらの平版印刷版原版が紫外線あるいは可視光に対して感光性を有する場合、これらの波長域の光に曝光されることにより、画像形成能が低下する場合がある。このため、曝光による前記平版印刷版原版の画像形成能の低下を防ぐため、感光波長域の光を含まない照明の下で開梱する必要があった。
【特許文献１】特開２００２−２３４２７２号公報
【発明の開示】
【発明が解決しようとする課題】
【０００４】
本発明は、このような事情を鑑みてなされたものであり、平版印刷版原版の曝光を防止し、平版印刷版原版の画像形成能の低下を防止する簡易な包装方法を提供することを目的とする。
【課題を解決するための手段】
【０００５】
本発明は、金属支持体上の片面のみに画像形成面を有する平版印刷版原版を複数枚積層して包装紙によって包装する方法であって、前記包装紙の開封面および非開封面がともに金属支持体面となるように前記平版印刷版原版を積層して包装することを特徴とする平版印刷版原版の包装方法である。
【発明の効果】
【０００６】
本発明の平版印刷版原版の包装方法によれば、開封時や平版印刷版原版を運搬する際に、画像形成面が曝光し、平版印刷版原版の画像形成能が低下することを防止することができる。
【発明を実施するための最良の形態】
【０００７】
本発明の平版印刷版原版の包装方法は、包装紙の開封面および非開封面がともに金属支持体面となるように前記平版印刷版原版を積層して包装することを特徴とする。一般に、包装紙を開梱する場合、開封面を上方にして開梱する。開梱時に最上面に位置する平版印刷版原版は、画像形成面が下向きに収容されているので、画像形成面に光が照射されることはない。また、包装紙が損傷するなどの要因により、非開封面側から開封する場合であっても、最上面に位置する平版印刷版原版の画像形成面が下向きとなるために、画像形成面の曝光が防止できる。
【０００８】
以下、添付図面に従って本発明の包装方法の実施の形態について説明する。
【０００９】
図１〜４は本発明の包装方法の一態様を示す概略図である。平版印刷版原版１０は、長方形の金属支持体上に、感光層または感熱層などの画像形成面を有する。平版印刷版原版のうち、画像形成面を１０Ｐ、金属支持体面を１０Ｑと記載する。なお、平版印刷版原版１０は露光や現像などの画像形成に必要な処理が施される前段階のものをさす。
【００１０】
図１に示すように、各平版印刷版原版の間に合紙１１を厚み方向に重ね合わせ、最上面および最下面が平版印刷版原版の金属支持体面１０Ｑとなるように平版印刷版原版１０を積層し、積層束１２を構成する。なお、このような構成であれば、平版印刷版原版１０の具体的な構成は、特に限定されない。
【００１１】
１つの積層束１２を構成する平版印刷版原版１０の数は特に限定されないが、運搬や保管の効率化の観点から、例えば１０枚〜１００枚とすることが一般的である。すなわち、平版印刷版原版１０を１０枚以上積層することで、荷扱いの効率化を図ることができる。また、１００枚以下とすることで、積層束１２自体の重量が制限されることになるので、荷扱いにおける作業負荷が軽減される。また、さらに多くの平版印刷版原版１０によって積層束１２を構成し、より効率的に（少ない荷扱いの回数で）運搬や保管をできるようにすることも可能である。
【００１２】
上述した合紙１１としては、平版印刷版原版１０の画像形成面を保護し、かつ画像形成面１０Ｐおよび金属支持体面１０Ｑと容易に剥離するものであれば、その具体的構成は限定されない。具体的には、クレープ加工、クルパック加工、エンボス加工等の表面凹凸加工を施された坪量６０〜８０ｇ／ｍ２のクラフト紙や、新聞用晒紙などが挙げられる。また、各平版印刷版原版１０の間に挟みこむ合紙１１の数は特に限定されない。
【００１３】
平版印刷版原版１０を厚み方向に積層して積層束１２を構成する工程も特に限定されないが、例えば、ウエブ状の平版印刷版原版を長手方向に搬送しつつ、ウエブ状の合紙が接触配置された後に一体で裁断され所定のサイズに裁断する平版印刷版原版の製造ラインでは、平版印刷版原版１０を順次集積する集積装置が設けられることが一般的であるので、この集積装置で集積することにより、集積装置での集積時に、平版印刷版原版１０と合紙１１とが交互に積層された状態で積層される。梱包時に最上部の平版印刷版原版１０と合紙１１の組を１組以上裏返すことで積層束１２を構成することができる。平版印刷版原版１０と合紙１１とを交互に積層したのち、さらにカッタ等によって平版印刷版原版１０の端部を切りそろえた後、積層束１２を構成してもよいし、構成された積層束１２を適切なサイズに切りそろえたものを積層束１２としてもよい。
【００１４】
積層束１２を構成する各々の平版印刷版原版は、高い精度で断裁されていることが曝光防止の観点から好ましい。例えば、１０３０ｍｍ×８００ｍｍの平版印刷版原版を、各辺の寸法制度を±０．４ｍｍ以内、各辺の真直精度を０．２ｍｍ以内、直角精度が９０度±０．０２度以内で断裁することにより、積層束１２からの画像形成面１０Ｐのはみ出し量を２ｍｍ以下とでき、実効的に画像が形成される領域の曝光を防止できる。
【００１５】
このようにして構成された積層束１２を、図２に示すように、包装紙１３によって包装する。包装紙１３は、遮光性及び防湿性を有する紙によって構成されており、この包装紙１３を使用して、積層束１２が外部から遮断されるように包装することで、積層束１２を確実に遮光及び防湿することができる。
【００１６】
包装紙１３の材質は、積層束１２を外部から遮断して包装することが可能であれば特に限定されないが、例えば、未晒クラフト紙に所定の厚さの金属薄膜を貼着し、さらにこの金属薄膜上に１０〜７０μｍのポリエチレン層を貼り合わせたものが使用できる。一般に、感光性印刷版は感光性が高く、僅かな可視光波長帯域の光によって曝光されても感光層に変化が生じる。また、感熱性印刷板も、光の熱エネルギーによって感熱層が変質したり、反応進行によって感度変化が起こったりする場合がある。積層束１２の状態では、画像形成面１０Ｐは積層束１２の内向きとなっており、曝光しにくい構成となっているが、曝光の可能性を更に低下させるために適度な遮光を行うことが好ましい。さらに、急激な湿度変化や温度変化を受けると、画像形成面１０Ｐに結露が発生して変質したり、合紙１１と接着されたり、金属支持体面１０Ｑに腐食が発生する等の不都合があるため、防湿する必要が生じる。包装紙１３は上記したように構成されることで一定の遮光性及び防湿性を有するため、平版印刷版原版１０の画像形成面１０Ｐの変質が防止され、平版印刷版原版１０は一定の品質に維持される。包装紙１３が上記した一定の遮光性及び防湿性を発揮できれば、必ずしも金属蒸着膜および低密度ポリエチレン層等が貼着されている必要はない。
【００１７】
包装紙１３の形状及び折り方等も、積層束１２を防湿及び遮光可能であれば特に限定されないが、例えば、図２〜図４に示す方法が挙げられる。
【００１８】
包装紙１３の長辺１３Ｌの長さは、図２に示すように、積層束１２の長辺１２Ｌと包装紙１３の短辺１３Ｓとが平行になるように包装紙１３の略中央に積層束１２を置き、包装紙１３を積層束１２の長辺１２Ｌに沿って両側から折り曲げた状態で、包装紙１３の短辺１３Ｓの近傍が部分的に重なり合うように（図３参照）、所定の長さとされている。
【００１９】
また、包装紙１３の短辺１３Ｓの長さは、この短辺１３Ｓの近傍が部分的に重なり合った状態から、さらに包装紙１３の長辺１３Ｌ側を折りこんだとき、積層束１２の上面と平面視して部分的に重なるように（図３参照）、所定の長さとされている。
【００２０】
このようにして包装紙１３によって積層束１２を包装することで、図４に示すように、積層束１２が全面に渡って包装紙１３で覆われることとなる。最後に、粘着テープ１４によって包装紙１３を所定位置で張り付け、不用意に包装紙１３が広がったり脱落したりしないように固定する。これにより、開封面が上面に配置された包装体１５が形成される。
【００２１】
以上のようにして構成された平版印刷版原版１０の包装体は、画像形成面に合紙１１が接触して配置されているので、画像形成面の損傷が防止される。また、遮光性及び防湿性を有する包装紙１３によって積層束１２が完全に覆われ、外部から遮断されることになるので、積層束１２を構成する平版印刷版原版１０は確実に遮光及び防湿される。
【００２２】
上記の方法によって構成された包装体１５を輸送する場合、そのままの形態で輸送されてもよいが、外力による変形や損傷を防ぐためには、更に外装することが好ましい。この外装の方法は特に限定されないが、例えば、図５〜６に示される方法で包装体１５を外装することができる。外装体２０は底面板２１に底面積層板２６および側面板２４、２５を隣接させ、さらに側面板２４、２５に上面板２２、２３が隣接された１枚の段ボール紙からなる。各底面積層板２６に施された折り曲げ線Ｆ１〜Ｆ４は打ち抜きプレスおよび線プレスを同時に行うことにより形成される。底面積層板２６は、折り込み線Ｆ１〜Ｆ４の順に内側に折り込み、ホットメルト型の接着剤等を施すことにより、積層部２６Ｐが形成される。この積層部２６Ｐは、緩衝材としての機能も有する。外装は、積層部２６Ｐの間に包装体を配置し、側面版２４、２５、上面版２２、２３を順次折り込み線に沿って折り込み、外装が完成する。
【００２３】
なお、外装体２０の内部寸法が収納される包装体１５の寸法より大きい場合は、段ボール紙をホットメルト型接着剤等により固定し、包装箱内で包装体１５が移動しないように固定することができる。また、１つの外装体２０に複数の包装体１５を複数並べて収納してもよい。このようにすることにより、製品寸法毎に外装体２０を準備する必要が省かれ、荷資材管理を容易にできる。
【００２４】
さらに多くにの包装体を一度に荷扱いする場合、上記の外装体２０では多数必要であり、荷扱いの面で不利であり、また外装体２０による廃棄物が多く生じる。この場合、図７〜８に示すように、パレット３０上に包装体１５を積層し、周囲を段ボール紙からなる外装体３１により外装することができる。この外装体３１は、底面がない箱型の形状であり、パレット３０とともに積層された包装体１５の束を収納した後、折り込み線３４に沿って上面板３３Ｓおよび３３Ｌをこの順に折り込み、バンド３６によりパレット３０と固定して外装される。なお、各包装体の上下には製品保護のために厚紙などの緩衝材１６を挟む事が好ましいが、これに限定されるものではない。
【実施例】
【００２５】
実施例１
画像形成面に合紙として新聞用晒紙を付設した“東レ水なし平版”ＨＧ２タイプを、最上部の１枚を除き画像形成面が上向きとなるように積層し、最上部の１枚を裏返して上下面とも金属支持体面となるように積層した。前記積層束を、坪量７５ｇ／ｍ２のクラフト紙に７μｍのアルミ蒸着を施し、２０μｍのポリエチレン層を貼り合わせて成る包装紙を用いて、積層束上部が開封面となるように包装した。開封面側、非開封面側を上向きにした場合の各々について、（ａ）２本の白色蛍光灯、（ｂ）退色防止等灯、（ｃ）黄色蛍光灯の３種類の光源の下１．５ｍの位置で、前記包装体を開梱し、最上部の平版印刷版原版の感度変化が生じるまでの時間を測定した。なお、平版印刷版原版の感度は、最上部の平版印刷版原版にウグラオフセット検査カイルを密着し、水平型真空焼付け機Ｐ−８０６−Ｉ（大日本スクリーン製造（株）製）にて所定時間露光したのち、前処理として４４℃のＣＰ−１（東レ（株）製）が投入された水なし平版用自動現像機ＴＷＬ−１１６０Ｆ（東レ（株）製）を用い、搬送速度８０ｃｍ／分で現像した際のグレースケール感度にて評価した。開梱後３０分までは５分間隔、以降８時間まで３０分間隔で感度評価を行い、１段以上の感度変化が生じた時点を感度変化が生じた時間とした。
【００２６】
比較例１
画像形成面が全て開封面側となるように積層した以外は実施例１と同様に包装した。評価結果を表１に示す。
【００２７】
比較例２
画像形成面が全て非開封面側となるように積層した以外は実施例１と同様に包装した。評価結果を表１に示す。
【００２８】
【表１】
2008246684.tif 000003
【図面の簡単な説明】
【００２９】
【図１】本発明の包装方法の一態様を示す概略図
【図２】本発明の包装方法の一態様を示す概略図
【図３】本発明の包装方法の一態様を示す概略図
【図４】本発明の包装方法の一態様を示す概略図
【図５】包装体を収納する外装ケースの一態様を示す展開図
【図６】包装体を外装ケースに収納する方法を示す斜視図
【図７】包装体をパレットに積層し、外装する方法の一態様を示す概略図
【図８】包装体をパレットに積層し、外装する方法の一態様を示す概略図
【符号の説明】
【００３０】
１０  平版印刷版原版
１０Ｐ  平版印刷版原版の画像形成面
１０Ｑ  平版印刷版原版の金属支持体面
１１  合紙
１２  積層束
１３  包装紙
１４  粘着テープ
１５  平版印刷版の包装体
１６  緩衝材
２０  梱包体を収納する外装体
２１  底面板
２２、２３  上面板
２４、２５  側面版
２６  底面積層板
２６Ｐ  底面積層板を折り込み形成される積層部
３０  パレット
３１  パレット梱包外装体
３３Ｓ  パレット梱包外装体の短辺側上面板
３３Ｌ  パレット梱包外装体の長辺側上面板
３４  折り込み線
３６  バンド
【図１】
2008246684.tif 000004
【図２】
2008246684.tif 000005
【図３】
2008246684.tif 000006
【図４】
2008246684.tif 000007
【図５】
2008246684.tif 000008
【図６】
2008246684.tif 000009
【図７】
2008246684.tif 000010
【図８】
2008246684.tif 000011